【手続補正書】
【提出日】平成20年2月21日(2008.2.21)
【手続補正１】
【補正対象書類名】特許請求の範囲
【補正対象項目名】全文
【補正方法】変更
【補正の内容】
【特許請求の範囲】
【請求項１】
反応器ゾーン中において少なくとも１種の溶媒及び少なくとも１種の塩基性触媒の存在下で少なくとも１種のカルボン酸と少なくとも１種のアルキレンオキシドとを接触させて、部分エステル化カルボン酸製品を製造することを含んでなり、前記アルキレンオキシドが０．５：１〜１：１未満のアルキレンオキシド対カルボン酸のモル比で存在する部分エステル化カルボン酸製品の製造方法。
【請求項２】
前記アルキレンオキシドが０．８：１〜１：１未満のアルキレンオキシド対カルボン酸のモル比で存在する請求項１に記載の方法。
【請求項３】
前記アルキレンオキシドがエチレンオキシド、プロピレンオキシド、ブチレンオキシド及びそれらの混合物からなる群から選ばれる少なくとも１種である請求項１又は２に記載の方法。
【請求項４】
前記カルボン酸がテレフタル酸、イソフタル酸、トリメリット酸、ナフタレンジカルボン酸、シクロヘキサンジカルボン酸、シクロヘキサン二酢酸、ジフェニル−４，４’−ジカルボン酸、ジフェニル−３，４’−ジカルボン酸、コハク酸、グルタル酸、アジピン酸、アゼライン酸、セバシン酸及びそれらの混合物からなる群から選ばれる少なくとも１種である請求項３に記載の方法。
【請求項５】
前記アルキレンオキシドがエチレンオキシドであり、且つ前記カルボン酸がテレフタル酸である請求項１又は２に記載の方法。
【請求項６】
前記反応器ゾーンがアルキレンオキシドの実質部分が液相にあるような圧力で操作される少なくとも１つの反応器を含む請求項１に記載の方法。
【請求項７】
前記反応器ゾーンがエチレンオキシドの実質部分が液相にあるような圧力で操作される少なくとも１つの反応器を含む請求項５に記載の方法。
【請求項８】
前記アルキレンオキシドがエチレンオキシドであり且つ前記カルボン酸がテレフタル酸である請求項６に記載の方法。
【請求項９】
前記反応器が１２０〜２８０℃の温度で操作される請求項７に記載の方法。
【請求項１０】
前記反応器が１２０〜２８０℃の温度で操作される請求項６に記載の方法。
【請求項１１】
前記反応器が１８０〜２８０℃の温度で操作される請求項７に記載の方法。
【請求項１２】
前記反応器が１８０〜２８０℃の温度で操作される請求項６に記載の方法。
【請求項１３】
前記塩基性触媒が水酸化ベンジルトリアルキルアンモニウム、トリブチルアミン、トリエチルアミン、トリメチルアミン、トリプロピルアミン、水酸化テトラアルキルアンモニウム及びそれらの混合物からなる群から選ばれる請求項１、２、４、６、７、８、９、１０、１１又は１２に記載の方法。
【請求項１４】
前記塩基性触媒がトリブチルアミン、トリエチルアミン、トリメチルアミン、トリプロピルアミン、水酸化テトラアルキルアンモニウム及びそれらの混合物からなる群から選ばれる請求項３に記載の方法。
【請求項１５】
前記塩基性触媒がトリブチルアミン、トリエチルアミン、トリメチルアミン、トリプロピルアミン、水酸化テトラアルキルアンモニウム及びそれらの混合物からなる群から選ばれる請求項５に記載の方法。
【請求項１６】
前記溶媒がトルエン及びキシレンからなる群から選ばれる少なくとも１種を含む請求項１３に記載の方法。
【請求項１７】
前記溶媒が少なくとも１種のオリゴマーポリエステルを含む請求項１３に記載の方法。
【請求項１８】
前記塩基性触媒がトリエチルアミンである請求項１２に記載の方法。
【請求項１９】
前記部分エステル化カルボン酸製品が、引き続いて、ポリエステル製品の製造に使用される請求項１に記載の方法。
【請求項２０】
前記カルボン酸がテレフタル酸、イソフタル酸、トリメリット酸、ナフタレンジカルボン酸、シクロヘキサンジカルボン酸、シクロヘキサン二酢酸、ジフェニル−４，４’−ジカルボン酸、ジフェニル−３，４’−ジカルボン酸、コハク酸、グルタル酸、アジピン酸、アゼライン酸、セバシン酸及びそれらの混合物からなる群から選ばれる少なくとも１種である請求項１９に記載の方法。
【請求項２１】
反応器ゾーンにおいて少なくとも１種の溶媒及び少なくとも１種の塩基性触媒の存在下でテレフタル酸とエチレンオキシドとを接触させて部分エステル化テレフタル酸製品を製造することを含んでなり；前記エチレンオキシドが０．５：１〜１：１未満のエチレンオキシド対テレフタル酸のモル比で存在する部分エステル化製品の製造方法。
【請求項２２】
前記エチレンオキシドが０．８：１〜１：１未満のエチレンオキシド対テレフタル酸のモル比で存在する請求項２１に記載の方法。
【請求項２３】
前記反応器ゾーンがエチレンオキシドの実質部分が液相にあるような圧力で操作される少なくとも１つの反応器を含む請求項２２に記載の方法。
【請求項２４】
前記反応器ゾーンがエチレンオキシドの実質部分が液相にあるような圧力で操作される少なくとも１つの反応器を含む請求項２１に記載の方法。
【請求項２５】
前記反応器が１２０〜２８０℃の温度で操作される請求項２４に記載の方法。
【請求項２６】
前記反応器が１２０〜２８０℃の温度で操作される請求項２３に記載の方法。
【請求項２７】
前記反応器が１８０〜２８０℃の温度で操作される請求項２４に記載の方法。
【請求項２８】
前記反応器が１８０〜２８０℃の温度で操作される請求項２３に記載の方法。
【請求項２９】
前記塩基性触媒が水酸化ベンジルトリアルキルアンモニウム、トリブチルアミン、トリエチルアミン、トリメチルアミン、トリプロピルアミン、水酸化テトラアルキルアンモニウム及びそれらの混合物からなる群から選ばれる請求項２１、２２、２３、２４、２５、２６、２７又は２８に記載の方法。
【請求項３０】
前記溶媒がトルエン及びキシレンからなる群から選ばれる少なくとも１種を含む請求項２９に記載の方法。
【請求項３１】
前記溶媒が少なくとも１種のオリゴマーポリエステルを含む請求項２９に記載の方法。
【請求項３２】
前記塩基性触媒がトリエチルアミンである請求項２８に記載の方法。
【請求項３３】
前記部分エステル化カルボン酸製品が、引き続いて、ポリエチレンテレフタレートの製造に使用される請求項２１に記載の方法。
【請求項３４】
前記部分エステル化テレフタル酸製品をジオールと反応させてポリエチレンテレフタレートを生成することを更に含む請求項２１に記載の方法。
【請求項３５】
反応器ゾーン中において少なくとも１種の溶媒及び少なくとも１種の塩基性触媒の存在下でテレフタル酸とエチレンオキシドを接触させて、部分エステル化テレフタル酸製品を製造することを含んでなり；前記エチレンオキシドが０．８：１〜１．２：１のエチレンオキシド対テレフタル酸のモル比で存在する部分エステル化テレフタル酸製品の製造方法。
【請求項３６】
前記反応器ゾーンがエチレンオキシドの実質部分が液相にあるような圧力で操作される少なくとも１つの反応器を含む請求項３５に記載の方法。
【請求項３７】
前記反応器が１２０〜２８０℃の温度で操作される請求項３６に記載の方法。
【請求項３８】
前記反応器が１８０〜２８０℃の温度で操作される請求項３６に記載の方法。
【請求項３９】
前記部分エステル化テレフタル酸製品をジオールと反応させてポリエチレンテレフタレートを製造することを更に含む請求項３５に記載の方法。
【請求項４０】
前記塩基性触媒が水酸化ベンジルトリアルキルアンモニウム、トリブチルアミン、トリエチルアミン、トリメチルアミン、トリプロピルアミン、水酸化テトラアルキルアンモニウム及びそれらの混合物からなる群から選ばれる請求項３５、３６、３７、３８又は３９に記載の方法。
【請求項４１】
前記溶媒がトルエン及びキシレンからなる群から選ばれる少なくとも１種である請求項４０に記載の方法。
【請求項４２】
前記溶媒が少なくとも１種のオリゴマーポリエステルを含む請求項４０に記載の方法。
【請求項４３】
（ａ）反応器ゾーン中において、溶媒及び塩基性触媒の存在下でテレフタル酸とエチレンオキシドとを接触させて、部分エステル化テレフタル酸製品を製造し（前記エチレンオキシドは０．５：１〜１：１未満のエチレンオキシド対テレフタル酸のモル比で存在する）；
（ｂ）前記部分エステル化テレフタル酸製品をジオールと反応させて、ポリエチレンテレフタレートを製造する
ことを含んでなるポリエチレンテレフタレートの製造方法。
【請求項４４】
前記反応器ゾーンがエチレンオキシドの実質部分が液相にあるような圧力で操作される少なくとも１つの反応器を含む請求項４３に記載の方法。
【請求項４５】
前記反応器が１２０〜２８０℃の温度で操作される請求項４３に記載の方法。
【請求項４６】
前記反応器が１８０〜２８０℃の温度で操作される請求項４５に記載の方法。
【請求項４７】
前記塩基性触媒が水酸化ベンジルトリアルキルアンモニウム、トリブチルアミン、トリエチルアミン、トリメチルアミン、トリプロピルアミン、水酸化テトラアルキルアンモニウム及びそれらの混合物からなる群から選ばれる請求項４３、４４、４５又は４６に記載の方法。
【請求項４８】
前記溶媒がトルエン及びキシレンからなる群から選ばれる少なくとも１種である請求項４７に記載の方法。
【請求項４９】
前記溶媒が少なくとも１種のオリゴマーポリエステルを含む請求項４７に記載の方法。
【請求項５０】
前記塩基性触媒がトリエチルアミンである請求項４９に記載の方法。
【請求項５１】
前記反応がパイプ型反応器中で行われる請求項４４に記載の方法。
【請求項５２】
前記ジオールがエチレングリコール（ＥＧ）、ジエチレングリコール、トリエチレングリコール、１，４−シクロヘキサンジメタノール、プロパン−１，３−ジオール、ブタン−１，４−ジオール、ペンタン−１，５−ジオール、ヘキサン−１，６−ジオール、ネオペンチルグリコール、３−メチルペンタンジオール−（２，４）、２−メチルペンタンジオール−（１，４）、２，２，４−トリメチルペンタンジオール−（１，３）、２−エチルヘキサンジオール−（１，３）、２，２−ジエチルプロパン−ジオール−（１，３）、ヘキサンジオール−（１，３）、１，４−ジ−（ヒドロキシエトキシ）−ベンゼン、２，２−ビス−（４−ヒドロキシシクロヘキシル）プロパン、２，４−ジヒドロキシ−１，１，３，３−テトラメチル−シクロブタン、２，２，４，４−テトラメチルシクロブタンジオール、２，２−ビス−（３−ヒドロキシエトキシフェニル）−プロパン、２，２−ビス−（４−ヒドロキシプロポキシフェニル）−プロパン、イソソルビド、ヒドロキノン、ＢＤＳ−（２，２−（スフホニルビス）４，１−フェニレンオキシ））ビス（エタノール）及びそれらの混合物からなる群から選ばれる請求項４４に記載の方法。
【請求項５３】
前記ジオールがエチレングリコール（ＥＧ）を含む請求項４４に記載の方法。
【請求項５４】
反応器ゾーン中においてトルエン及びトリエチルアミンの存在下でテレフタル酸とエチレンオキシドとを接触させて部分エステル化テレフタル酸製品を製造することを含んでなり；前記エチレンオキシドが０．５：１〜１：１未満のエチレンオキシド対テレフタル酸のモル比で存在し；前記反応器ゾーンが、エチレンオキシドの実質部分が液相にあるような圧力で操作される少なくとも１つの反応器を含んでなり；前記反応器が１２０〜２８０℃の温度で操作される部分エステル化テレフタル酸製品の製造方法。
【請求項５５】
反応器ゾーン中においてトルエン及びトリエチルアミンの存在下でテレフタル酸とエチレンオキシドとを接触させて部分エステル化テレフタル酸製品を製造することを含んでなり；前記エチレンオキシドが０．８：１〜１：１未満のエチレンオキシド対テレフタル酸のモル比で存在し；前記反応器ゾーンが、エチレンオキシドの実質部分が液相にあるような圧力で操作される少なくとも１つの反応器を含んでなり；前記反応器が１２０〜２８０℃の温度で操作される部分エステル化テレフタル酸製品の製造方法。
【請求項５６】
反応器ゾーン中においてトルエン及びトリエチルアミンの存在下でテレフタル酸とエチレンオキシドとを接触させて部分エステル化テレフタル酸製品を製造することを含んでなり；前記エチレンオキシドが０．８：１〜１．２：１未満のエチレンオキシド対テレフタル酸のモル比で存在し；前記反応器ゾーンがエチレンオキシドの実質部分が液相にあるような圧力で操作される少なくとも１つの反応器を含んでなり；前記反応器が１２０〜２８０℃の温度で操作される部分エステル化テレフタル酸製品の製造方法。
【請求項５７】
部分エステル化テレフタル酸製品をジオールと反応させてポリエチレンテレフタレートを生成することを更に含む請求項５４、５５又は５６に記載の方法。